(57)【要約】【課題】遊技者による検知機器の検知操作により演出参加させるという遊技の興趣性を向上し得るパチンコ遊技機を提案する。【解決手段】操作演出条件が成立した場合に、特別演出表示域ａ，ｂ，ｃで、特別演出図柄に替えて異形特別演出図柄Ｘ，Ｙ，Ｚを停止表示し、該停止表示に伴って開始される操作有効期間で操作検知手段が遊技者の検知操作を検知すると、利得画像５１を表示するようにしたものであるから、異形特別演出図柄Ｘ，Ｙ，Ｚの停止表示によって従来に無い変化に富んだ演出を行うことができる。そして、特別図柄に対応した特別演出図柄の変動停止により興趣性を保ちつつ、演出参加という遊技の興趣性を向上できる。【選択図】図９
2015167581.tif 000002
【特許請求の範囲】
【請求項１】
特別図柄を変動表示する図柄表示装置と、
遊技球の入賞を検知する球検知手段を具備する始動口と、
始動口の球検知手段が遊技球を検知することにより始動記憶を生成し、該始動記憶を消化することにより、図柄表示装置で特別図柄を変動してその停止図柄態様によって当り又はハズレを確定する一連の図柄生成行程を実行する始動記憶制御手段と、
予め定められた複数の特別演出図柄を変動表示する特別演出表示域が複数設けられた画像表示器と、
図柄生成行程の実行に伴って、画像表示器の各特別演出表示域で夫々特別演出図柄を変動表示する演出表示手段と
を備えたパチンコ遊技機において、
遊技者による所定検知機器の検知操作を検知する操作検知手段を備え、
前記演出表示手段は、
所定の操作演出条件が成立すると、特別演出表示域で、停止表示する特別演出図柄に替えて、該特別演出図柄と表示内容が同一で且つ表示形式が異なる異形特別演出図柄を停止表示する異形演出停止処理と、
該異形特別演出図柄の停止表示に伴って期間開始される所定の操作有効期間で、前記操作検知手段が遊技者による検知操作を検知することにより、所定の利得画像を表示する利得表示処理と
を備えていることを特徴とするパチンコ遊技機。
【請求項２】
演出表示手段の異形演出停止処理は、全ての特別演出表示域で、予め定められた停止順序に従って、特別演出図柄に替えて所定の異形特別演出図柄を停止表示する処理内容を備え、
利得表示処理は、各特別演出表示域での異形特別演出図柄の停止表示に伴って発生する各操作有効期間の全てで、操作検知手段が遊技者の検知操作を検知した場合に、所定の利得画像を表示する処理内容を備えていることを特徴とする請求項１に記載のパチンコ遊技機。
【請求項３】
演出表示手段の異形演出停止処理は、操作演出条件が成立すると、異形特別演出図柄の停止表示前に、所定順序で列ぶ複数の報知図柄により構成され、遊技者に検知操作を促す報知図柄列を、変動表示中の特別演出図柄に替えて、該特別演出図柄の変動表示に比して低速で変動表示する処理内容を備えていることを特徴とする請求項１又は請求項２に記載のパチンコ遊技機。
【請求項４】
利得画像が、携帯端末で読み取られてＷｅｂサイトにアクセスするための光学コードにより構成されていることを特徴とする請求項１乃至請求項３のいずれか１項に記載のパチンコ遊技機。
【請求項５】
所定検知機器は、遊技者が押圧操作可能な操作ボタンにより構成され、
操作検知手段は、遊技者による操作ボタンの押圧操作を検知する操作ボタン装置により構成されていることを特徴とする請求項１乃至請求項４のいずれか１項に記載のパチンコ遊技機。
【発明の詳細な説明】
【技術分野】
【０００１】
本発明は、特別図柄の変動に伴って特別演出図柄を変動表示する画像表示器を備えたパチンコ遊技機に関する。
【背景技術】
【０００２】
一般的なパチンコ遊技機にあっては、遊技盤面上に画成された遊技領域へ発射された遊技球が始動口へ流入することにより、始動記憶を発生し、該始動記憶を消化することにより、特別図柄表示装置で特別図柄を変動開始し、停止して当り又はハズレを確定する図柄生成行程を実行する。そして、図柄生成行程で停止した特別図柄により当り確定した場合には、所定の利得を発生する。さらに、遊技盤面には画像表示器が配設されており、該画像表示器では、前記図柄生成行程が開始されると、該図柄生成行程に応じて所定の特別演出図柄が変動表示され、図柄生成行程で停止する特別図柄に対応して特別演出図柄が停止表示される。このように画像表示器では、特別演出図柄によって、図柄生成行程の特別図柄を擬似的に表示するようにしている。そのため、遊技者は、画像表示器で表示される特別演出図柄に最も注目する傾向がある。
【０００３】
一方、パチンコ遊技機には、その遊技機本体の前部に、遊技者により押圧操作可能な操作ボタンが配設され、この操作ボタンを遊技者が押圧操作することによって画像表示器で表示する演出画像が変化するようにしたものが提案されている（例えば、特許文献１）。かかる構成では、遊技者が操作ボタンを押圧操作することによって演出に参加できるため、遊技者の興趣感を高めることができる。
【先行技術文献】
【特許文献】
【０００４】
【特許文献１】特開２００７−３０７１６３号公報
【発明の概要】
【発明が解決しようとする課題】
【０００５】
ところで、上述した操作ボタンを備えた従来構成にあっては、該操作ボタンの押圧操作を有効とするタイミングが設定されており、該タイミングを遊技者に報知して、操作ボタンの押圧操作を促している。ここで、遊技者への報知としては、例えば、画像表示器で「操作ボタンを押して下さい」等のテロップ画像や所定の演出画像を表示することにより行う。こうした報知用の画像が図柄生成行程の実行中に表示される場合、遊技者が注目する特別演出図柄と別に表示されることから、遊技者への報知効果に限界があった。そのため、操作ボタンの押圧操作により遊技者の興趣性を高めるという作用効果にも限界が生じ、該作用効果の向上が希求されている。
【０００６】
本発明は、遊技者に演出参加させるという遊技の興趣性を向上し得るパチンコ遊技機を提案するものである。
【課題を解決するための手段】
【０００７】
本発明は、特別図柄を変動表示する図柄表示装置と、遊技球の入賞を検知する球検知手段を具備する始動口と、始動口の球検知手段が遊技球を検知することにより始動記憶を生成し、該始動記憶を消化することにより、図柄表示装置で特別図柄を変動してその停止図柄態様によって当り又はハズレを確定する一連の図柄生成行程を実行する始動記憶制御手段と、予め定められた複数の特別演出図柄を変動表示する特別演出表示域が複数設けられた画像表示器と、図柄生成行程の実行に伴って、画像表示器の各特別演出表示域で夫々特別演出図柄を変動表示する演出表示手段とを備えたパチンコ遊技機において、遊技者による所定検知機器の検知操作を検知する操作検知手段を備え、前記演出表示手段は、所定の操作演出条件が成立すると、特別演出表示域で、停止表示する特別演出図柄に替えて、該特別演出図柄と表示内容が同一で且つ表示形式が異なる異形特別演出図柄を停止表示する異形演出停止処理と、該異形特別演出図柄の停止表示に伴って期間開始される所定の操作有効期間で、前記操作検知手段が遊技者による検知操作を検知することにより、所定の利得画像を表示する利得表示処理とを備えていることを特徴とするパチンコ遊技機である。
【０００８】
ここで、特別演出表示域としては、特別演出図柄の変動表示と停止表示とができるサイズであれば良く、該特別演出図柄の表示サイズに応じて設定できる。さらに、特別演出表示域は、そのサイズや位置が常に固定されていても良いし、適宜変化するようにしても良い。また、各特別演出表示域で夫々変動表示する特別演出図柄の表示態様としては、特別図柄の図柄生成行程の開始に伴って、各特別演出表示域で変動表示開始し、該図柄生成行程に応じて各特別演出表示域で特別演出図柄を変動や停止表示するようにしたものが好適である。さらに、図柄生成行程での特別図柄の停止図柄態様に対応するように、各特別演出表示域で特別演出図柄を停止表示することが好適である。
【０００９】
かかる構成にあっては、異形特別演出図柄の停止表示により発生する操作有効期間中に遊技者が検知操作を行うことによって、利得画像を表示するようにしたものであるから、異形特別演出図柄の停止表示が、利得画像の表示を獲得するチャンスの到来を示すものとなっている。ここで、異形特別演出図柄は、特別演出図柄と表示形式は異なるものの、表示内容は同一であることから、遊技者は、該異形特別演出図柄が停止表示された場合にあっても、特別演出図柄と同様に、該異形特別演出図柄が示す内容（意味合い）を理解できる。すなわち、図柄生成行程で停止する特別図柄に対応した異形特別演出図柄を停止表示することができ、該異形特別演出図柄によって、特別演出図柄と同様、特別図柄を擬似的に表示できる。そのため、異形特別演出図柄を停止表示した場合にあっても、特別演出図柄の停止表示と同様に、該特別演出図柄の変動停止による図柄生成行程での興趣性が保たれる。尚、異形特別演出図柄を停止表示した場合に、該停止表示に伴う特別演出図柄の再変動や該特別演出図柄への変換表示などを行う必要も無い。また、異形特別演出図柄の停止表示は、遊技者が最も注目する特別演出図柄に替えて表示されることから、その報知効果が極めて高く、利得画像の表示を求める遊技者に、検知機器の検知操作を促す効果が高い。このように異形特別演出図柄は、特別図柄に対して特別演出図柄と同一の役割を有すると共に、遊技者による検知機器の検知操作を促すという役割も有する。さらにまた、検知操作が有効となることを示す異形特別演出図柄を、特別演出図柄に替えて停止表示するという、従来に無い演出を行うことによって、遊技者の興味を強く惹き付けることができる。したがって、本発明の構成によれば、遊技者による検知機器の検知操作により遊技参加させるという遊技の興趣性を飛躍的に向上させることができる。
【００１０】
尚、本発明の構成にあって、異形特別演出図柄を停止表示する特別演出表示域は適宜設定することができ、例えば、予め定めた一又は複数の特別演出表示域としても良いし、一又は複数の特別演出表示域を選択するようにしても良い。そして、一の特別演出表示域で異形特別演出図柄を停止表示する場合と、複数の特別演出表示域で異形特別演出図柄を停止表示する場合とで、同じ利得画像を表示するようにしても良いし、異なる利得画像を表示するようにしても良い。また、操作演出条件としては、ランダム選択により成立することや、図柄生成行程で生ずる事象により成立すること等を設定できる。後者の場合、例えば、図柄生成行程の開始から所定時間経過すること、リーチ演出を実行すること、始動記憶の当落判定結果が当りであること、当り予告すべきと決定すること等を適宜設定できる。また、異形演出停止処理による「特別演出図柄に替えて異形特別演出図柄を停止表示する」とは、停止表示する特別演出図柄を異形特別演出図柄と差し替えて停止表示すること、さらには、特別演出表示域で停止表示される複数の特別演出図柄に異形特別演出図柄を加え入れて該異形特別演出図柄を停止表示することを含む。また、操作有効期間としては、予め設定した時間や、所定の処理や作動が実行されるまでの期間などを設定できる。
【００１１】
上述した本発明のパチンコ遊技機にあって、演出表示手段の異形演出停止処理は、全ての特別演出表示域で、予め定められた停止順序に従って、特別演出図柄に替えて所定の異形特別演出図柄を停止表示する処理内容を備え、利得表示処理は、各特別演出表示域での異形特別演出図柄の停止表示に伴って発生する各操作有効期間の全てで、操作検知手段が遊技者の検知操作を検知した場合に、所定の利得画像を表示する処理内容を備えた構成が提案される。
【００１２】
かかる構成にあっては、全ての特別演出表示域での異形特別演出図柄の停止表示に伴って遊技者が検知操作することにより、利得画像を表示することから、該異形特別演出図柄を順次停止する毎に、利得画像の表示を求める遊技者に検知操作を強く促すことができる。さらに、全ての特別演出表示域で、通常の特別演出図柄と表示形式の異なる異形特別演出図柄が順次停止表示されることにより、利得画像の表示を期待する遊技者の感情を効果的に刺激でき、異形特別演出図柄の停止表示に基づいて遊技者に検知操作させるという遊技の興趣性を一層向上できる。尚、通常と異なる異形特別演出図柄が順次停止することによって、特別図柄による当り発生に対する遊技者の期待感を刺激することにも寄与できることから、図柄生成行程での遊技の興趣性を向上できる。
【００１３】
尚、本構成にあって、一の特別演出表示域で異形特別演出図柄の停止表示に伴って遊技者が検知操作した場合にも、利得画像を表示するようにしても良い。この構成では、一の異形特別演出図柄の停止表示に基づく利得画像と、全ての異形特別演出図柄の停止表示に基づく利得画像とを同じものとしても良いし、異なるものとしても良い。
【００１４】
上述した本発明のパチンコ遊技機にあって、演出表示手段の異形演出停止処理は、操作演出条件が成立すると、異形特別演出図柄の停止表示前に、所定順序で列ぶ複数の報知図柄により構成され、遊技者に検知操作を促す報知図柄列を、変動表示中の特別演出図柄に替えて、該特別演出図柄の変動表示に比して低速で変動表示する処理内容を備えた構成が提案される。
【００１５】
かかる構成にあっては、異形特別演出図柄の停止表示前に表示される報知図柄列によって、遊技者は異形特別演出図柄の停止表示を知得することができるため、該異形特別演出図柄の停止表示に伴って開始される操作有効期間中に遊技者が検知操作を行う可能性が一層向上する。さらに、遊技者は、異形特別演出図柄の停止表示前から、該停止表示にそなえることができ、余裕を持って検知操作を行うことができる。また、こうした報知図柄列を、特別演出図柄に替えて表示することから、該報知図柄列による遊技者への報知効果が高く、異形特別演出図柄の停止表示に対して遊技者を一層強く惹き付けることができる。
【００１６】
上述した本発明のパチンコ遊技機にあって、利得画像が、携帯端末で読み取られてＷｅｂサイトにアクセスするための光学コードにより構成されている構成が提案される。ここで、光学コードは、二次元コードやバーコードなどのカメラやスキャナで光学的に読取り可能なコードを指す。
【００１７】
かかる構成によれば、光学コードを、携帯電話やスマートフォンなどの携帯端末で読み取って、Ｗｅｂサイトにアクセスすることで、遊技者が該Ｗｅｂサイトから遊技内容に関する情報や特典画像等を入手できる。こうした特典の入手を求める遊技者の感情を刺激できることから、上述した本発明の作用効果が向上する。
【００１８】
上述した本発明のパチンコ遊技機にあって、所定検知機器は、遊技者が押圧操作可能な操作ボタンにより構成され、操作検知手段は、遊技者による操作ボタンの押圧操作を検知する操作ボタン装置により構成されている構成が提案される。
【００１９】
かかる構成によれば、操作有効期間で行う遊技者の検知操作が、操作ボタンの押圧操作という明確な行為となり、該押圧操作（検知操作）の有無を正確に判断することができる。また、遊技者は、操作ボタンの押圧操作という比較的慣れた検知操作を行えばよいことから、押圧操作自体よりも、特別演出図柄の変動および停止表示、異形特別演出図柄の停止表示などに遊技者を惹き付け易く、上述した本発明の作用効果を安定して発揮させることができる。
【発明の効果】
【００２０】
本発明は、上述したように、操作演出条件が成立した場合に、特別演出表示域で、特別演出図柄に替えて異形特別演出図柄を停止表示し、該停止表示に伴って開始される操作有効期間で操作検知手段が遊技者の検知操作を検知すると、利得画像を表示するようにしたものであるから、遊技者が最も注目する特別演出図柄に替えて停止表示する異形特別演出図柄によって、利得画像の表示を求める遊技者に、検知機器の検知操作を強く促すことができる。さらに、異形特別演出図柄の停止表示によって、特別演出図柄と同じ表示内容を該遊技者に伝えることができると共に、特別演出図柄に替えて異形特別演出図柄を停止表示するという従来に無い演出によって、遊技者の興味を強く惹き付けることができる。したがって、本発明の構成によれば、特別図柄に応じた特別演出図柄の変動表示および停止表示により発揮される興趣性を保ちつつ、遊技者による検知機器の検知操作により遊技参加させるという遊技の興趣性を飛躍的に向上できる。
【図面の簡単な説明】
【００２１】
【図１】本実施例のパチンコ遊技機１の正面図である。
【図２】パチンコ遊技機１の遊技盤１０の正面図である。
【図３】パチンコ遊技機１の制御回路のブロック回路図である。
【図４】特別図柄処理を示すフロー図である。
【図５】異形演出処理を示すフロー図である。
【図６】有効期間処理を示すフロー図である。
【図７】全ての特別演出表示域ａ，ｂ，ｃで、異形特別演出図柄Ｘ，Ｙ，Ｚの停止表示を説明図である。
【図８】図７から連続する、異形特別演出図柄Ｘ，Ｙ，Ｚの停止表示を説明図である。
【図９】図８から連続する、異形特別演出図柄Ｘ，Ｙ，Ｚの停止表示を説明図である。
【図１０】特別演出表示域ａで、異形特別演出図柄Ｘの停止表示を説明図である。
【図１１】特別演出表示域ａ，ｃで、異形特別演出図柄Ｘ，Ｚの停止表示を説明図である。
【発明を実施するための形態】
【００２２】
本発明の実施例を、添付図面を用いて詳述する。
パチンコ遊技機１は、図１に示すように、遊技島設備（図示省略）に固定される外枠２と、この外枠２の前面開口部を覆う遊技機本体３とからなる。遊技機本体３は、中央上部の略円形の開口部に遊技盤１０（図２参照）が取り付けられた前枠５を備え、この前枠５の一側縁がヒンジ部材４を介して外枠２に開閉可能に枢着されている。さらに前枠５には、遊技盤１０を覆うガラス（図示せず）を備えた前扉６が開閉可能に枢着されている。また、前枠５の下部には、上球受皿７と下球受皿８とが上下に列設されており、下球受皿８の右側方に発射ハンドル９が突設される。
【００２３】
上記の上球受皿７には、その内部左側に賞球や貸球が払い出される払出口（図示せず）が開口し、内部右端に遊技球を流入させる流入口（図示せず）が開口している。この流入口を介して、上球受皿７内の遊技球が後述する球発射装置３１（図３参照）へ供給される。また、上記の下球受皿８には、その内部に球放出口（図示せず）が開口しており、上球受皿７が満杯の場合に、該球放出口から遊技球が放出される。
【００２４】
上記した遊技盤１０の前面には、図２のように、ガイドレール１１が取り付けられており、該ガイドレール１１によって略円形の遊技領域１２と、上記の球発射装置３１から発射された遊技球を該遊技領域１２に案内する案内通路２０とが区画形成される。この案内通路２０の下部入口に臨むにように、上記した球発射装置３１の発射レールが配設されており、該球発射装置３１から発射された遊技球が案内通路２０を通過して遊技領域１２へ入る。
【００２５】
遊技領域１２の中央には、画像表示器１４等の各種遊技部材を組み込んだセンターケース１３が配設される。画像表示器１４は、液晶表示器又はＣＲＴ表示器等からなり、その表示画面には各種演出画像等が表示される。センターケース１３の右上部には、六個のＬＥＤからなる特別図柄表示装置１５が配設される。この特別図柄表示装置１５は、六個のＬＥＤの点灯態様によって特別図柄を表示するものであり、後述するように、所定契機によって、各ＬＥＤを点滅させることにより特別図柄を変動させ、点滅後にいずれかのＬＥＤが点灯することにより特別図柄を停止表示する。本実施例では、右下端のＬＥＤのみを点灯した態様が「ハズレ」を示す停止図柄態様であり、それ以外のＬＥＤを点灯した態様が「当り」を示す停止図柄態様として設定されている。そして、特別図柄表示装置１５の各ＬＥＤを点滅後に点灯した特別図柄の停止図柄態様が前記「当り」を示すものであると、所謂「大当り」が確定して、後述する特別遊技作動を実行する。
【００２６】
センターケース１３の右下部には、二個のＬＥＤからなる普通図柄表示装置１６が配設されており、該普通図柄表示装置１６は、各ＬＥＤの点灯態様によって普通図柄を表示する。この普通図柄表示装置１６は、センターケース１３の左側に配設された普通始動ゲート１９を遊技球が通過することにより、該普通始動ゲート１９に設けられた普通始動スイッチＳ２が遊技球を検知し、この検知に伴って各ＬＥＤを点滅して普通図柄を変動する。その後、いずれかのＬＥＤを点灯することにより普通図柄を停止する。そして、この点灯したＬＥＤによって普通図柄の当り又はハズレを確定し、当りの場合に後述の普通電動役物２３の始動口２１を開放作動する。
【００２７】
センターケース１３の下部には、特別図柄の始動記憶（以下、特別始動記憶）の未消化数（記憶数）を報知する特別始動記憶数表示装置１７と、普通図柄の始動記憶の未消化数を報知する普通始動記憶数表示装置１８とが配設されている。特別始動記憶数表示装置１７は、四個のＬＥＤから構成されており、その点灯数によって特別図柄の未消化数（記憶数）を表示する。同様に、普通始動記憶数表示装置１８は、四個のＬＥＤから構成されており、その点灯数によって普通図柄の未消化数（記憶数）を表示する。
【００２８】
また、センターケース１３の下方には、遊技球を流入可能とする始動口２１を備えた普通電動役物２３が配設されている。この始動口２１の内部には、遊技球を検知する特別始動スイッチＳ１が配設されており、該始動口２１へ流入した遊技球を検知することによって特別図柄の特別始動記憶を発生して、該特別始動記憶の消化により特別図柄表示装置１５のＬＥＤが点滅開始する。また、この遊技球を検知することにより球検知信号を出力し、この球検知信号に基づいて所定数の賞球が払い出される。この普通電動役物２３には、始動口２１の開口幅を変化させる左右一対の開閉翼片（図示せず）と、該開閉翼片を開閉作動する普通電動役物ソレノイドとを備えており、該開閉翼片を、始動口２１への遊技球流入が困難な閉鎖位置と、流入容易な開放位置とに位置変換作動する。この開閉翼片は、常態で閉鎖位置にあり、上記した普通図柄表示装置１６で普通図柄が当り確定した場合に、閉鎖位置から開放位置へ開放作動する。
【００２９】
さらに普通電動役物２３の直下かつアウト口２８の直上方位置には、大入賞口２５を有する特別電動役物２６が配設されている。この特別電動役物２６は横長矩形状の開閉片２７を具備している。開閉片２７は内蔵する特別電動役物ソレノイドにより開閉制御され、これによって大入賞口２５が開放状態と閉鎖状態に繰り返し変換される。また、特別電動役物２６の内部には入賞した遊技球を検知する特別入賞スイッチＳ３が設けられている。また、この遊技球を検知することにより球検知信号を出力し、この球検知信号に基づいて所定数の賞球が払い出される。
【００３０】
また、普通電動役物２３の両側に配設された一般入賞装置２９に遊技球が入賞すると、一般入賞装置２９に内蔵された一般入賞スイッチＳ４が球検知信号を出力し、かかる球検知信号に基づいて所定数の賞球が払い出される。
【００３１】
次に、上述のパチンコ遊技機１の制御回路について、図３を参照して説明する。
制御回路には、主制御基板６０、演出制御基板６２、払出制御基板６４、発射制御基板６８が配設されている。主制御基板６０は、マイクロコンピュータにより構成されており、パチンコ遊技機１の遊技を統括的に制御するものである。
【００３２】
主制御基板６０には、各種スイッチなどからの入力信号に従って演算処理を実行して所定の指令信号を出力する主制御用中央制御装置ＣＰＵ、演算処理に用いる制御プログラム等を格納する記憶装置ＲＯＭ、必要なデータを随時読み書き可能な記憶装置ＲＡＭが、データを読み書きするアドレスを指定する情報を一方的に伝えるアドレスバス（図示省略）と、データのやり取りを行うデータバス（図示省略）とを介して接続され、主制御基板６０の基板回路を構成している。前記記憶装置ＲＯＭには、制御プログラムや、抽選データを参照して当落判定や図柄の変動・停止態様、演出態様等を決定するための各種テーブルが格納されている。一方、記憶装置ＲＡＭには、各種球検知スイッチからの球検知信号等が一時的に記憶される記憶エリア、各種のタイマや乱数カウンタ、計数カウンタ等を構成するレジスタ領域、及びワークエリア等が設けられている。
【００３３】
この主制御基板６０の基板回路には、所定のクロックパルスを出力するクロック装置（図示省略）が設けられ、主制御用中央制御装置ＣＰＵに接続されている。主制御用中央制御装置ＣＰＵは一定間隔のクロックパルスによって、時系列的に演算処理を行い、一連の処理作動を順次実行する。また、このクロック装置により出力されたクロックパルスをカウントして、時間を計測するタイマーＴＭも接続されている。
【００３４】
主制御用中央制御装置ＣＰＵ、及び後述する各制御基板６２〜６８に設置される各中央制御装置ＣＰＵは、所定のデータの処理を行う演算ユニット（ＡＬＵ）を連成した演算装置と、この演算装置に入出力するデータや読み込んだ命令を保管しておくレジスタと、命令を解読するデコーダ等によって構成されている。そして、この主制御用中央制御装置ＣＰＵは、所定の形式で生成したデータ信号又はコマンド信号を四つの制御基板６２，６３，６４，６８へ出力し、これらの制御基板６２，６３，６４，６８の中央制御装置ＣＰＵがこのデータ等に従って所定の制御を処理実行することとなる。
【００３５】
また、この主制御基板６０の基板回路には、主制御用中央制御装置ＣＰＵが周辺機器とデータ通信を行う入力ポート（図示省略）及び出力ポート（図示省略）が設けられており、この出力ポートを介して主制御基板６０からのコマンド信号が、演出制御基板６２、図柄制御基板６３、払出制御基板６４、および発射制御基板６８の各入力ポートに向け出力される。また、主制御基板６０の入力ポートには、盤面中継基板６１を介して、上記した特別始動スイッチＳ１、普通始動スイッチＳ２、特別入賞スイッチＳ３、一般入賞スイッチＳ４等が接続されている。そして、主制御基板６０は、所定時間毎（例えば２ｍｓ毎）に、これら各スイッチＳ１〜Ｓ４の遊技球検出状態を調べ、信号入力があるとその信号が波形整形回路により波形整形されて中央制御装置ＣＰＵに入力され、その情報を記憶装置ＲＡＭに記憶する。また、主制御基板６０の出力ポートには、盤面中継基板６１を介して普通電動役物２３や特別電動役物２６等に内臓されたソレノイドやモータが接続されており、主制御用中央制御装置ＣＰＵが所定の条件を選出した場合に、これらソレノイドやモータを駆動させる。
【００３６】
上記の演出制御基板６２には、パチンコ遊技機１で実行される演出全般を制御するための基板回路が設けられる。この基板回路は、演出を制御処理する演出制御用中央制御装置ＣＰＵに、演出に関する固定データが格納された記憶装置ＲＯＭと、必要なデータを読み書きできる記憶装置ＲＡＭと、入力ポート及び出力ポートとが接続されて構成されている。演出制御基板６２の出力ポートには、画像表示器１４を制御する画像制御基板６５、スピーカを制御する音源制御基板６６、及びＬＥＤランプによる演出を制御する光源制御基板６７が接続されている。そして、演出制御基板６２は、主制御基板６０からのコマンド信号が入力ポートに入力されると、演出制御用中央制御装置ＣＰＵにおいて演算処理し、該コマンド信号で指示された演出態様を実行するために、画像制御基板６５、音源制御基板６６、及び光源制御基板６７へ向けてコマンド信号を送信する。
【００３７】
上記の画像制御基板６５には、画像表示器１４で表示する演出画像を制御するための基板回路が設けられる。画像制御基板６５は、演出制御基板６２から入力されたデータ信号又はコマンド信号を演算処理し、所定の演出画像を表示するための画像パターンやデータにしたがって表示用ドライバにより画像表示器１４で演出画像を表示させる。
【００３８】
上記の音源制御基板６６には、スピーカから発生する効果音等を制御するための基板回路が設けられる。この音源制御基板６６は、演出制御基板６２から入力されたデータ信号又はコマンド信号を演算処理し、所定の音データにしたがってサウンドジェネレータによりスピーカで効果音を出力させる。
【００３９】
上記の光源制御基板６７には、遊技機本体３に配設された演出用ランプを制御するための基板回路が設けられている。この光源制御基板６７は、演出制御基板６２から入力されたデータ信号又はコマンド信号を演算処理し、所定の光データにしたがって光源作動基板により各種の演出用ランプを点灯、点滅させる。
【００４０】
上記の図柄制御基板６３には、特別図柄表示装置１５、普通図柄表示装置１６、特別始動記憶数表示装置１７、普通始動記憶数表示装置１８を制御するための基板回路が設けられている。この図柄制御基板６３は、上記の主制御基板６０から入力ポートを介して入力されたデータ信号又はコマンド信号を演算処理し、所定の光データにしたがって図柄作動基板により、各装置のＬＥＤを点灯、点滅させる。
【００４１】
上記の払出制御基板６４には、遊技球の払出しを制御するための基板回路が設けられている。この払出制御基板６４は、主制御基板６０から入力されたデータ信号又はコマンド信号を演算処理し、所定のデータに従って球払出装置のソレノイドを駆動制御して、所定個数の遊技球を払い出す払出処理を実行する。また、払出制御基板６４は、プリペイドカードの読込みや書込みを行うプリペイドカードユニットがＣＲ接続基板を介して接続され、遊技球の残球データ等をやり取りする。
【００４２】
上記の発射制御基板６８には、球発射装置３１（図３参照）を制御するための基板回路が設けられている。この発射制御基板６８は、発射ハンドル９からの入力信号に応じた電圧強度で球発射装置３１を駆動することにより、発射ハンドル９の回動角度に応じた強さで遊技球を打圧発射する。
【００４３】
次に、本実施例のパチンコ遊技機１の基本的な作動について説明する。なお、本実施例のパチンコ遊技機１の基本的な作動は、既存のパチンコ遊技機と同様であるため詳細な説明は省略する。
発射ハンドル９の回動操作により遊技領域１２へ発射された遊技球が、普通電動役物２３の始動口２１へ流入すると、図示しない入賞検知処理によって、特別図柄用の各乱数カウンタ（大当りカウンタなど）を抽出し、これら抽出したカウンタ値を一纏めとして特別図柄用の始動記憶（以下、特別始動記憶）を生成する。そして、図４の特別図柄処理により、前記の特別始動記憶を消化すると、特別図柄表示装置１５でＬＥＤが点滅して特別図柄が変動開始し、変動開始から所定時間経過すると、いずれかのＬＥＤを点灯することにより特別図柄が変動停止して停止図柄態様を表示する。このように、特別始動記憶の消化によって特別図柄の変動開始から停止までの一連の図柄生成行程を実行する。この図柄生成行程で停止表示した特別図柄の停止図柄態様が当りを示す停止図柄態様であると、当りが確定し、図示しない大入賞口処理によって、大入賞口２５を開閉する特別遊技作動を実行する。特別遊技作動は、大入賞口２５を開閉する開閉ラウンドを所定回数実行する作動であり、この実行中に大入賞口２５へ１００個以上の入賞が期待でき、遊技者は多量の賞球を獲得することが可能である。
【００４４】
ここで、特別始動記憶は、その発生順序に従って一個ずつ消化されることから、図柄生成行程の実行中や特別遊技作動の実行中に発生した特別始動記憶は、消化されるまで、記憶装置ＲＡＭに設けられた特別始動記憶領域に記憶保持される。この特別始動記憶領域には、四個を上限として特別始動記憶を記憶可能となっており、四個の特別始動記憶を記憶している状態では新たな特別始動記憶が発生しない。そして、特別始動記憶領域に記憶保持されている特別始動記憶の未消化数（記憶数）を、上記した特別始動記憶数表示装置１７の点灯数によって報知している。特別始動記憶数表示装置１７では、新たな特別始動記憶を記憶して未消化数が増加する毎に点灯数を一増加し、記憶している特別始動記憶を消化して未消化数が減少する毎に点灯数が一減少するように、ＬＥＤを点灯または消灯制御される。
【００４５】
こうした特別始動記憶領域に記憶された特別始動記憶が図４の特別図柄処理により消化されることにより、図柄生成行程が実行される。すなわち、特別図柄処理は、特別始動記憶領域に記憶されている最先の特別始動記憶を読み込み、該特別始動記憶を構成する大当りカウンタ値を当落判定し、その他のカウンタ値に基づいて特別図柄の停止図柄態様や画像表示器１４で表示する演出画像の画像パターン等を選定する演出パターン処理を行う。そして、図柄生成行程では、特別図柄表示装置１５で特別図柄を変動して、所定時間の経過に伴って前記停止図柄態様で確定停止する。さらに、特別図柄の変動に同期して、画像表示器１４で前記画像パターンに従って演出画像を表示する演出表示処理を実行する。
【００４６】
この演出表示処理により表示する演出画像は、特別図柄表示装置１５で変動停止する特別図柄に応じて表示する特別演出図柄Ａ，Ｂ，Ｃや、該図柄生成行程を盛り上げる背景演出画像Ｇ等からなり、様々な静止画や動画等の画像により構成される。ここで、画像表示器１４の表示画面には、図７〜１１のように、各特別演出図柄Ａ，Ｂ，Ｃを表示する特別演出表示域ａ，ｂ，ｃが横並びに設けられている。特別演出表示域ａ，ｂ，ｃでは、特別演出図柄Ａ，Ｂ，Ｃを変動表示し、停止表示する。各特別演出図柄Ａ，Ｂ，Ｃは、それぞれ、「０」〜「９」までの１０個の数字図柄を備え、いずれかの数字図柄を各特別演出表示域ａ，ｂ，ｃで夫々停止表示する。さらに、これら１０個の数字図柄を一列状に列べた図柄列を変動表示する。すなわち、演出表示処理では、各特別演出表示域ａ，ｂ，ｃで、前記図柄列を変動する動画（特別演出図柄Ａ，Ｂ，Ｃの変動表示）と、前記数字図柄を停止する静止画（特別演出図柄Ａ，Ｂ，Ｃの停止表示）とを表示する。尚、こうした特別演出図柄Ａ，Ｂ，Ｃの変動表示や停止表示は、従来と同様に表示処理できるため、その詳細については省略する。
【００４７】
本実施例にあって、上記した特別図柄処理や特別演出処理以外の、メイン処理、入賞検知処理、大入賞口処理、普通図柄処理等については、従来と同様の処理を適用できるため、その詳細を省略する。
【００４８】
次に、本発明の要部について説明する。
遊技機本体３の前枠５には、図１のように、操作ボタン７２を備えた操作ボタン装置７１が下球受皿８の左側部に位置して設けられている。この操作ボタン装置７１は、操作ボタン７２を囲むように枠部７３を備え、該枠部７３内に嵌挿された操作ボタン７２が上下方向に移動可能となっている（図示せず）。さらに、操作ボタン装置７１には、その内部に操作ボタン７２を上方へ付勢する弾性バネを備え、操作ボタン７２は常態で枠部７３の上側に僅かに突出する位置に位置決めされる。この操作ボタン７２は、遊技者により押圧操作されることによって、弾性バネの付勢力に抗して降動し、押圧解除することにより、弾性バネの付勢力に従って昇動して前記常態の位置に復帰する。
【００４９】
さらに、操作ボタン装置７１には、操作ボタン７２の押圧操作を検知する検知センサが内蔵されている。この検知センサは、フォトセンサにより構成されており、その発光部と受光部間を、押圧操作により降動した操作ボタン７２によって遮断すると、所定の操作信号を発生する。操作ボタン装置７１は上記の主制御基板６０に接続されており、操作ボタン７２が遊技者により押圧操作される毎に、検知センサにより発生した操作信号が主制御基板６０に出力される。
【００５０】
上述した操作ボタン７２を備えた操作ボタン装置７１は、一般的な押圧操作用のボタン構造のものを適用できるため、その詳細については省略する。尚、本実施例にあって、この操作ボタン装置７１により本発明にかかる操作検知手段が構成され、操作ボタン７２により本発明にかかる検知機器が構成されており、遊技者による検知操作が、操作ボタン７２の押圧操作である。
【００５１】
一方、上記の操作ボタン７２の押圧操作を有効とする操作有効期間が定められており、該操作有効期間は、有効時間（例えば、５秒間）により規定されており、特別演出表示域ａ，ｂ，ｃでの異形特別演出図柄Ｘ，Ｙ，Ｚの停止表示に伴って期間開始され、前記有効時間の経過に伴って期間満了する。この操作有効期間を期間開始または期間満了する処理は、図５の異形演出処理と図６の有効期間処理とにより実行される。
【００５２】
ここで、異形特別演出図柄Ｘ，Ｙ，Ｚとしては、特別演出図柄Ａ，Ｂ，Ｃと同じ表示内容であり且つ表示形式の異なる図柄として設定されている。例えば、本実施例では、特別演出図柄Ａ，Ｂ，Ｃが「０」〜「９」の所謂アラビア数字を表示形式とした図柄であることに対して、異形特別演出図柄Ｘ，Ｙ，Ｚが「零」、「一」、「二」、・・・、「八」、「九」の漢数字を表示形式とした図柄としている。そして、異形特別演出図柄Ｘ，Ｙ，Ｚを停止表示する場合には、停止表示する特別演出図柄Ａ，Ｂ，Ｃと同じ表示内容のものを停止表示する。そのため、異形特別演出図柄Ｘ，Ｙ，Ｚが停止表示された場合と特別演出図柄Ａ，Ｂ，Ｃが停止表示された場合とで同じ内容（数字）が示され、該異形特別演出図柄Ｘ，Ｙ，Ｚが示す内容を遊技者が容易に認識できる（図１０，１１参照）。
【００５３】
上記した図５の異形演出処理は、特別図柄処理により図柄生成行程が開始されると（特別変動フラグ＝１）、大当りフラグ＝１の場合に異形演出フラグ＝１とする。又は、大当りフラグ＝０の場合であって、特別図柄処理でリーチカウンタ値によりリーチ実行を決定し、且つ異形停止カウンタ値により異形特別演出図柄Ｘ，Ｙ，Ｚの停止表示を決定すると、異形演出フラグ＝１とする。尚、リーチカウンタ値は、その値に従ってリーチの実行有無を決定するものであり、異形停止カウンタ値は、その値に従って異形特別演出図柄Ｘ，Ｙ，Ｚの停止表示を実行するか否かを決定するものである。これらリーチカウンタ値や異形停止カウンタ値は、大当りカウンタ値と共に、特別始動記憶を構成するものであり、遊技球が始動口２１に入賞した時点で抽出される。本実施例にあっては、リーチカウンタ値がリーチ実行を決定する確率が３／４となるように設定され、異形停止カウンタ値が異形特別演出図柄Ｘ，Ｙ，Ｚの停止表示を実行する確率が２／３となるように設定されており、大当りカウンタ値をハズレ判定した場合における異形特別演出図柄Ｘ，Ｙ，Ｚを停止表示する確率（１／２）が定められている。
【００５４】
異形演出フラグ＝１となると、異形演出選択処理を実行し、異形特別演出図柄Ｘ，Ｙ，Ｚを停止する一または複数の特別演出表示域ａ，ｂ，ｃを選択する。本実施例では、一つの特別演出表示域ａと、二つの特別演出表示域ａ，ｃと、全ての特別演出表示域ａ，ｂ，ｃとの三つのなかから一つを選択するようにしている。ここで、本実施例にあっては、全ての特別演出表示域ａ，ｂ，ｃを選択する確率が最も高く（例えば、５０％）、一つの特別演出表示域ａまたは二つの特別演出表示域ａ，ｃを選択する確率が同じ（例えば、それぞれ２５％）に設定されている。そして、一つの特別演出表示域ａを選択した場合には、異形表示値＝１とし、二つの特別演出表示域ａ，ｃを選択した場合には、異形表示値＝２とし、三つの特別演出表示域ａ，ｂ，ｃを選択した場合には、異形表示値＝３とする。
【００５５】
異形演出選択処理による特別演出表示域ａ，ｂ，ｃの選択は、特別演出図柄Ａ，Ｂ，Ｃの停止順序に基づいて設定されている。本実施例にあって、図柄生成行程で変動表示する特別演出図柄Ａ，Ｂ，Ｃは、Ａ→Ｃ→Ｂの順序で停止表示する。この停止順序に基づいて上記した三つの選択肢（ａ、ａとｃ、ａとｂとｃ）が設定され、いずれかを選択する。尚、異形演出選択処理が、特別演出表示域ａを選択した場合には、停止表示する特別演出図柄Ａに替えて、異形特別演出図柄Ｘを停止表示し、特別演出表示域ｂを選択した場合には、停止表示する特別演出図柄Ｂに替えて、異形特別演出図柄Ｙを停止表示し、特別演出表示域ｃを選択した場合には、停止表示する特別演出図柄Ｃに替えて、異形特別演出図柄Ｚを停止表示する。
【００５６】
このように異形演出選択処理によって、異形特別演出図柄Ｘ，Ｙ，Ｚを停止する特別演出表示域ａ，ｂ，ｃを選択すると、選択した特別演出表示域ａ，ｂ，ｃで特別演出図柄Ａ，Ｂ，Ｃを停止表示する夫々の演出停止タイミングを待つ。ここで、各特別演出図柄Ａ，Ｂ，Ｃの演出停止タイミングは、上記した演出パターン処理によって決定した演出画像の画像パターンによって定まる。そして、演出停止タイミングとなると、異形表示処理を実行し、停止表示する特別演出図柄Ａ，Ｂ，Ｃに替えて、異形特別演出図柄Ｘ，Ｙ，Ｚを停止表示する。さらに、上記した操作有効期間を規定する有効時間（例えば、５秒間）の時限消化を開始して、有効フラグ＝１とする。
【００５７】
有効フラグ＝１の場合には、図６の有効期間処理を実行する。この有効期間処理では、上記の有効時間の時限消化中（有効フラグ＝１）に、操作ボタン７２の押圧操作により発せられる操作信号を入力すると、操作回数値Ｗに１加算する。そして、操作回数値Ｗが上記の異形表示値に達したか否かを判定し、未達であると、有効フラグ＝０とする。この場合には、異形演出フラグ＝１を維持することから、上述したように異形演出処理により、次の演出停止タイミングとなると、同様に異形表示処理を実行し、これに伴って新たに操作有効期間を発生させる。こうして、異形選択処理により選択した異形特別演出図柄Ｘ，Ｙ，Ｚの停止表示回数（異形表示値）だけ、異形特別演出図柄Ｘ，Ｙ，Ｚの停止表示（および操作有効期間の発生）が繰り返される。一方、操作信号の入力により操作回数値Ｗ＝異形表示値となると、異形表示値＝１又は２の場合に小利得表示処理を実行し、異形表示値＝３の場合に特典利得表示処理を実行する。そして、有効フラグ＝０、操作回数値Ｗ＝０、異形演出フラグ＝０とする。
【００５８】
ここで、特典利得表示処理では、画像表示器１４で、特典利得図柄５１を表示する（図９参照）。この特典利得図柄５１は、予め記憶されたＵＲＬを含むＱＲコード（登録商標）により構成されている。そのため、画像表示器１４で表示されたＱＲコード（特典利得図柄５１）を、遊技者が携帯電話やスマートフォン等の携帯端末で読み取って、ＵＲＬにアクセスすることにより、アクセスしたＷｅｂサイトから壁紙や画像をダウンロード可能となる。尚、特典利得表示処理では、予め設定された複数の特典利得図柄（ＱＲコード）５１のなかから、いずれか一つを選択して表示する。各特典利得図柄５１の選択確率は、夫々異なるように設定されており、該選択確率の低いＱＲコードはプレミア的なものとなる。
一方、上記の小利得表示処理では、画像表示器１４で、小利得図柄５２を表示する（図１０，１１参照）。この小利得図柄５２は、前記の特典利得図柄５１と同様に、予め記憶されたＵＲＬを含むＱＲコードにより構成されている。小利得図柄５２のＱＲコードによりアクセスできるＷｅｂサイトは、特典利得図柄５１のＱＲコードによりアクセスできるＷｅｂサイトと異なる。そのため、小利得図柄５２のＱＲコードによるＷｅｂサイトからダウンロードできる壁紙や画像は、特典利得図柄５１からダウンロードできる壁紙や画像とは異なる。この小利得図柄５２から獲得できる壁紙や画像としては、例えば、特典利得図柄５１から獲得できる壁紙や画像に比して、サイズが小さく、不鮮明なものとしたり、特典利得図柄５１から獲得できる壁紙や画像の一部分を表示するものとする。このように小利得図柄５２から獲得できる壁紙や画像を、特典利得図柄５１から獲得できるもの比して、遊技者の満足感を満たすことができないものとし、該特典利得図柄５１は小利得図柄５２よりも遊技者にとって得られる利益（満足感）が大きくなっている。これにより、小利得図柄５２によりも特典利得図柄５１を求める遊技者の意欲を効果的に刺激できる。尚、小利得表示処理にあっても、予め複数の小利得図柄５２のなかからいずれか一つを選択して表示するようにしており、各小利得図柄５２の選択確率が夫々異なるように設定されている。
【００５９】
上記の特典利得表示処理および小利得表示処理のいずれにあっても、特典利得図柄５１と小利得図柄５２とを表示する場合に、これらを所定時間（例えば、１５秒間）継続して表示する。これにより、遊技者が、画像表示器１４に表示されたＱＲコードを、携帯電話やスマートフォン等の携帯端末により読み取ることができる。
【００６０】
また、有効期間処理では、前記の有効時間の時限消化中に操作信号が入力せずに、該有効時間の時限消化が満了すると、操作回数値＝０、有効フラグ＝０、異形演出フラグ＝０とする。そして、異形特別演出図柄Ｘ，Ｙ，Ｚの停止表示に伴う有効時間の時限消化中に、遊技者による操作ボタン７２の押圧操作がなければ、上記の特典利得表示処理や小利得表示処理を実行しない。この場合には、異形演出フラグ＝０とすることから、上記した異形演出選択処理により複数の特別演出表示域ａ，ｂ，ｃで異形特別演出図柄Ｘ，Ｙ，Ｚの停止表示を選択していても、選択した全ての異形特別演出図柄Ｘ，Ｙ，Ｚを停止表示しない。例えば、異形演出選択処理により全ての特別演出表示域ａ，ｂ，ｃを選択した場合に、最初の異形特別演出図柄Ｘの停止表示により有効時間中に操作信号が入力しなければ、二番目と三番目の異形特別演出図柄Ｙ，Ｚの停止表示を行わなずに、画像パターンに従って特別演出図柄Ｂ，Ｃを停止表示する。すなわち、異形演出選択処理により複数の特別演出表示域ａ，ｂ，ｃを選択した場合には、先に停止表示する異形特別演出図柄Ｘ，Ｙの有効時間中に遊技者が操作ボタン７２を押圧操作することが、次の異形特別演出図柄Ｙ，Ｚを停止表示する条件となる。換言すれば、先に停止表示する異形特別演出図柄Ｘ，Ｙの有効時間中に遊技者が操作ボタン７２を押圧操作することによって、次の異形特別演出図柄Ｙ，Ｚの停止表示という利得を獲得できる。
【００６１】
さらに、本実施例にあっては、異形演出フラグ＝１の場合に、異形特別演出図柄Ｘ，Ｙ，Ｚを停止表示する特別演出表示域ａ，ｂ，ｃで、該異形特別演出図柄Ｘ，Ｙ，Ｚの停止表示前に、所定の報知図柄列Ｈを低速変動表示する（図７〜１１参照）。これにより、異形特別演出図柄Ｘ，Ｙ，Ｚを停止表示する特別演出表示域ａ，ｂ，ｃでは、報知図柄列Ｈの低速変動表示を介して、異形特別演出図柄Ｘ，Ｙ，Ｚを停止表示する。すなわち、図５の異形演出処理では、異形特別演出図柄Ｘ，Ｙ，Ｚの停止表示タイミング前に定められる所定の報知タイミングとなると、報知図柄表示処理を実行し、特別演出表示域ａ，ｂ，ｃで、変動表示中の特別演出図柄Ａ，Ｂ，Ｃに替えて、報知図柄列Ｈを低速変動表示する。本実施例では、異形特別演出図柄Ｘを停止表示する場合、特別演出表示域ａで、該異形特別演出図柄Ｘの停止表示前に、変動表示中の特別演出図柄Ａに替えて報知図柄列Ｈを低速変動表示する。異形特別演出図柄Ｙを停止表示する場合には、同様に、特別演出表示域ｂで、変動表示中の特別演出図柄Ｂに替えて報知図柄列Ｈを低速変動表示し、異形特別演出図柄Ｚを停止表示する場合には、同様に、特別演出表示域ｃで、変動表示中の特別演出図柄Ｃに替えて報知図柄列Ｈを低速変動表示する。尚、報知図柄列Ｈの低速変動表示を開始する報知タイミングとしては、上述したように、演出パターン処理によって決定した特別演出図柄Ａ，Ｂ，Ｃの停止表示タイミングよりも、該報知図柄列Ｈの低速変動表示に要する時間だけ前の時点に設定される。ここで、特別演出図柄Ａ，Ｂ，Ｃの各停止表示タイミングは、画像パターン処理により決まり、また、報知図柄列Ｈの低速変動表示に要する時間も決まっていることから、報知図柄列Ｈを表示開始する報知タイミングは、画像パターン処理により決定した画像パターンに基づいて定まる。
【００６２】
報知図柄列Ｈは、複数の報知図柄が所定順序で列んで構成されており、具体的には、六個の報知図柄「ボ」、「タ」、「ン」、「を」、「押」、「せ」が設定され、報知図柄列Ｈとして「ボタンを押せ」が設定されている。そして、報知図柄列Ｈ（各報知図柄）を変動表示する表示速度が、順次表示される各報知図柄を遊技者が比較的容易に読み取ることができる程度の速度として設定されている。すなわち、報知図柄列Ｈの変動表示速度は、特別演出図柄Ａ，Ｂ，Ｃの変動表示速度に比して低速である。
【００６３】
次に、上述した異形特別演出図柄Ｘ，Ｙ，Ｚを停止表示する遊技の流れを、図４〜６の各処理に従って説明する。
図４の特別図柄処理では、未消化の特別始動記憶を消化することにより、当該特別始動記憶を構成する大当りカウンタ値を当落判定し、この判定結果が当りであると、大当りフラグ＝１とし、他のリーチカウンタ値や図柄カウンタ値等に基づいて演出パターン処理により演出画像の画像パターンを選定する。そして、特別図柄表示装置１５で特別図柄を変動開始すると共に、図７（イ）のように、画像表示器１４で図柄生成行程用の演出画像を表示する。これにより、画像表示器１４では、その表示画面上に設定された特別演出表示域ａ，ｂ，ｃで特別演出図柄Ａ，Ｂ，Ｃが変動表示すると共に、背景演出画像Ｇが表示される。尚、この画像パターンの決定によって、特別演出図柄Ａ，Ｂ，Ｃを停止表示する停止表示タイミングと、報知図柄列Ｈを低速変動表示開始する報知タイミングとが定まる。
【００６４】
特別図柄処理では、特別図柄の変動開始により特別変動フラグ＝１とし、これに伴って、図５の異形演出処理では、大当りフラグ＝１により異形演出フラグ＝１として、異形演出選択処理を実行する。この異形演出選択処理が、例えば、全ての特別演出表示域ａ，ｂ，ｃで異形特別演出図柄Ｘ，Ｙ，Ｚの停止表示を選択すると、異形表示値＝３とする。そして、演出フラグ＝１とする。
【００６５】
その後、図柄生成行程が進行し、特別演出図柄Ａの停止表示前に定められた報知図柄列Ｈの報知タイミングとなると、異形演出処理では、異形演出フラグ＝１であることから、報知図柄表示処理を実行し、画像表示器１４の特別演出表示域ａで、変動表示中の特別演出図柄Ａに替えて、報知図柄列Ｈを低速変動表示する。これにより、図７（ロ）〜（ニ）のように、特別演出表示域ａでは報知図柄列Ｈを構成する報知図柄が順に表示され、該報知図柄列Ｈの「操作ボタンを押せ」により遊技者に操作ボタン７２の押圧操作を促す。その後、上記の画像パターンによって定められた特別演出図柄Ａの停止表示タイミングとなると、異形表示処理を実行し、図７（ホ）のように、画像表示器１４の特別演出表示域ａで、停止表示する特別演出図柄Ａに替えて、異形特別演出図柄Ｘを停止表示する。特別演出表示域ａでは、前記の報知図柄列Ｈの低速変動表示を介して、異形特別演出図柄Ｘが停止表示される。ここで、特別演出表示域ａで停止表示する特別演出図柄Ａは、演出パターン処理で決定した画像パターンによって定められていることから、この停止表示する特別演出図柄Ａと同じ数字を示す漢数字からなる異形特別演出図柄Ｘを表示する。例えば、画像パターンによって特別演出図柄Ａの「５」を停止表示する場合には、これに替えて、異形特別演出図柄Ｘの「五」を停止表示する。さらに、前記した特別演出図柄Ａの停止表示タイミングとなると、予め設定された有効時間（例えば、５秒間）の時限消化を開始して、有効フラグ＝１とする。これにより、操作有効期間が開始される。
【００６６】
上記した報知図柄列Ｈの低速変動表示および異形特別演出図柄Ｘの停止表示によって、有効時間を時限消化している間（操作有効期間中）に、遊技者が操作ボタン７２を押圧操作すると、操作ボタン装置７１から操作信号が入力される。この操作信号の入力に伴って、図６の有効期間処理では、操作回数値Ｗ＝１とし、該操作回数値Ｗが異形表示値に達したか否かを判定する。この場合には、異形表示値＝３に達していないことから、有効フラグ＝０として、操作有効期間を終了する。尚、異形演出フラグ＝１は維持される。
【００６７】
さらに図柄生成行程が進行し、特別演出図柄Ｃの停止表示前に定められた報知タイミングとなると、異形演出フラグ＝１であることから、報知図柄表示処理を実行し、図８（イ）〜（ハ）のように、画像表示器１４の特別演出表示域ｃで、変動表示中の特別演出図柄Ｃに替えて、報知図柄列Ｈを低速変動表示する。その後、特別演出図柄Ｃの停止表示タイミングとなると、異形演出フラグ＝１であることから、上述と同様に、異形表示処理を実行し、図８（ニ）のように、画像表示器１４の特別演出表示域ｃで、停止表示する特別演出図柄Ｃに替えて、異形特別演出図柄Ｚを停止表示する。これに伴って、有効時間の時限消化を開始して、有効フラグ＝１とする。尚ここで、画像パターンにより特別演出図柄Ｃの「５」を停止表示する場合には、当該特別演出図柄Ｃに替えて、異形特別演出図柄Ｚの「五」を停止表示する。
【００６８】
そして、図６の有効期間処理では、有効時間の時限消化中（有効フラグ＝１）に、操作信号の入力があると、操作回数値Ｗに１加算し（Ｗ＝２）、当該操作回数値Ｗが異形表示値（＝３）に未達であることから、有効フラグ＝０として、異形演出フラグ＝１を維持する。
【００６９】
同様に、特別演出図柄Ｂの停止表示前に定められた報知タイミングとなると、異形演出フラグ＝１であることから、図９（イ）〜（ロ）のように、画像表示器１４の特別演出表示域ｂで、変動表示中の特別演出図柄Ｂに替えて、報知図柄列Ｈを低速変動表示する。そして、特別演出図柄Ｂの停止表示タイミングとなると、異形演出フラグ＝１であるとから、図９（ハ）のように、画像表示器１４の特別演出表示域ｂで、停止表示する特別演出図柄Ｂに替えて、異形特別演出図柄Ｙを停止表示する。これに伴って、有効時間の時限消化を開始して、有効フラグ＝１とする。尚ここで、画像パターンにより特別演出図柄Ｂの「５」を停止表示する場合には、当該特別演出図柄Ｂに替えて、異形特別演出図柄Ｙの「五」を停止表示する。そして、図６の有効期間処理では、有効時間の時限消化中（有効フラグ＝１）に、操作信号の入力があると、操作回数値Ｗに１加算する。これにより、操作回数値Ｗ＝３となって、異形表示値（＝３）に達したことから、特典利得表示処理を実行する。特典利得表示処理では、上述したように、予め複数設定された特典利得図柄５１（ＱＲコード）のなかから一の特典利得図柄５１を選択し、図９（ニ）のように、当該特典利得図柄５１を画像表示器１４の表示画面上に表示する。こうしてＱＲコード（特典利得図柄）５１が表示されると、遊技者が携帯電話やスマートフォン等の携帯端末により読み取ることによって、Ｗｅｂサイトにアクセスして壁紙や画像等をダウンロードして獲得できる。このように、特典利得図柄５１の表示は、全ての異形特別演出図柄Ｘ，Ｙ，Ｚの停止表示に伴って遊技者が操作ボタン７２を押圧操作したことにより該遊技者に供与される利得である。尚、上記の特典利得表示処理を実行すると、有効フラグ＝０、操作回数値Ｗ＝０、および異形演出フラグ＝０とする。
【００７０】
また、上述したように、図５の異形演出処理の異形演出選択処理により、全ての特別演出表示域ａ，ｂ，ｃで異形特別演出図柄Ｘ，Ｙ，Ｚを停止表示することを選択した場合にあって、異形特別演出図柄Ｘの停止表示に伴い開始された操作有効期間（有効フラグ＝１）または異形特別演出図柄Ｙの停止表示に伴い開始された操作有効期間（有効フラグ＝１）で、操作信号の入力が無いまま、有効時間の時限消化が満了すると、図６の有効期間処理では、操作回数値Ｗ＝０かつ異形演出フラグ＝０とする。これにより、次の特別演出図柄Ｃ又は特別演出図柄Ｂの停止表示タイミングとなっても、図５の異形演出処理では異形演出表示処理を実行しない。すなわち、異形特別演出図柄Ｘ，Ｚが停止表示された場合に、遊技者が操作ボタン７２を押圧操作しなければ、異形特別演出図柄Ｙ，Ｚの停止表示を選択していたとしても、特別演出図柄Ｂ，Ｃを停止表示する。換言すれば、異形特別演出図柄Ｘ，Ｚの停止表示に伴って遊技者が操作ボタン７２を押圧操作しない場合、該遊技者には、次の異形特別演出図柄Ｚ，Ｙの停止表示という利得が供与されない。尚、異形演出フラグ＝０となると、上記した報知図柄表示処理も実行せず、報知図柄列Ｈの低速変動表示を実行しない。
【００７１】
一方、上述した図５の異形演出処理で、異形演出選択処理が一つの特別演出表示域ａで異形特別演出図柄Ｘの停止表示を選択した場合には、異形表示値＝１とする。その後、報知タイミングとなると、異形演出フラグ＝１であることから、報知図柄表示処理により、図１０（イ）〜（ロ）のように、画像表示器１４の特別演出表示域ａで、変動表示中の特別演出図柄Ａに替えて、報知図柄列Ｈを低速変動表示する。その後、特別演出図柄Ａの停止表示タイミングとなると、異形表示処理により、図１０（ハ）のように、停止表示する特別演出図柄Ａに替えて異形特別演出図柄Ｘを停止表示して、有効時間の時限消化を開始する。この有効時間の時限消化中に（有効フラグ＝１）、操作信号の入力があると、図６の有効期間処理では、操作回数値Ｗ＝１とし、異形表示値（＝１）に達したことから、小利得表示処理を実行する。小利得表示処理では、上述したように、予め設定された複数の小利得図柄５２（ＱＲコード）のなかから一の小利得図柄５２を選択し、図１０（ニ）のように、当該小利得図柄５２を画像表示器１４で表示する。この小利得図柄（ＱＲコード）５２を、遊技者が携帯端末によって読み取ることにより、Ｗｅｂサイトにアクセスして壁紙や画像等を獲得できる。ここで、小利得図柄５２のＱＲコードが示すＵＲＬは、上記した特典利得図柄５１が示すＵＲＬと異なり、上述したように、該特典利得図柄５１により獲得できる壁紙や画像に比して、小さい画像サイズであったり、一部分のみを表示する画像である。すなわち、小利得図柄５２により獲得できる利得としては、特典利得図柄５１により獲得できる利得に比して、小さく、遊技者が得られる満足感も不十分である。
【００７２】
同様に、異形演出選択処理が二つの特別演出表示域ａ，ｃで異形特別演出図柄Ｘ，Ｚの停止表示を選択した場合には、異形表示値＝２とする。そして、特別演出表示域ａでの報知図柄列Ｈの低速変動表示に続いて、特別演出図柄Ａの停止表示タイミングとなると、該図１１（イ）のように、特別演出図柄Ａに替えて異形特別演出図柄Ｘを停止表示し、その操作有効期間で操作信号を入力すると、操作回数値Ｗ＝１として、異形演出フラグ＝１を維持する。その後、特別演出表示域ｃでの報知図柄列Ｈの低速変動表示に続いて（図１１（ロ）参照）、特別演出図柄Ｃの停止表示タイミングとなると、図１１（ハ）のように、該特別演出図柄Ｃに替えて異形特別演出図柄Ｚを停止表示する。この操作有効期間で操作信号を入力すると、操作回数値Ｗ＝２となって異形表示値に達することから、上述と同様に、小利得表示処理を実行して、図１１（ニ）のように、小利得図柄５２（ＱＲコード）を画像表示器１４で表示する。
【００７３】
尚、上述したように、異形演出選択処理が一つの特別演出表示域ａおよび二つの特別演出表示域ａ，ｃを選択した場合にあっても、操作有効期間で操作信号の入力が無ければ、異形演出フラグ＝０となるため、小利得図柄５２を表示しなかったり、次の異形特別演出図柄Ｚを停止表示しない。すなわち、操作有効期間で遊技者が操作ボタン７２を押圧操作しない場合には、利得を供与しない。
【００７４】
上述したように本実施例の構成にあっては、図柄生成行程で、特別演出図柄Ａ，Ｂ，Ｃの停止表示タイミングとなると、異形特別演出図柄Ｘ，Ｙ，Ｚを、停止表示する該特別演出図柄Ａ，Ｂ，Ｃに差し替えて停止表示し、これに伴って開始された操作有効期間で遊技者が操作ボタン７２を押圧操作すると、特典利得図柄５１や小利得図柄５２を供与するようにしたものであり、異形特別演出図柄Ｘ，Ｙ，Ｚの停止表示が、特典利得図柄５１や小利得図柄５２の獲得チャンスの到来を遊技者に示唆する。そして、異形特別演出図柄Ｘ，Ｙ，Ｚは、特別演出図柄Ａ，Ｂ，Ｃ（アラビア数字）と同じ数字（表示内容）を漢数字により表示したものであるから、その内容（数字）を遊技者が容易に理解でき、該特別演出図柄Ａ，Ｂ，Ｃの停止表示と同様に特別図柄に応じた演出を行うことができる。これにより、異形特別演出図柄Ｘ，Ｙ，Ｚを停止表示しても、特別演出図柄Ａ，Ｂ，Ｃの変動表示および停止表示と同様の演出効果を発揮でき、その興趣性を保ち得る。さらに、特別演出表示域ａ，ｂ，ｃでは、特別演出図柄Ａ，Ｂ，Ｃの停止表示だけでなく、異形特別演出図柄Ｘ，Ｙ，Ｚが停止表示することもあることから、従来に無い興趣に富んだ演出を行うことができ、遊技者の興味を強く惹き付けることができる。また、異形特別演出図柄Ｘ，Ｙ，Ｚを、図柄生成行程中に遊技者が最も注目する特別演出図柄Ａ，Ｂ，Ｃに差し替えて停止表示することから、その報知効果が極めて高く、操作ボタン７２の押圧操作を遊技者に促す効果が高い。こうしたことから、本実施例の構成によれば、遊技者による操作ボタン７２の押圧操作により遊技参加させるという遊技の興趣性を飛躍的に向上できる。
【００７５】
さらに、本実施例の構成では、異形特別演出図柄Ｘ，Ｙ，Ｚの停止表示直前に報知図柄列Ｈを低速変動表示するようにしていることから、異形特別演出図柄Ｘ，Ｙ，Ｚの停止表示を遊技者に報知する効果が高く、遊技者に操作ボタン７２の押圧操作を促す効果が向上する。そして、遊技者は、異形特別演出図柄Ｘ，Ｙ，Ｚの停止表示前から操作ボタン７２の押圧操作にそなえることができ、該押圧操作を余裕を持って確実に行うことができる。
【００７６】
尚、本実施例にあって、特別図柄表示装置１５により本発明にかかる図柄表示装置が構成されている。また、特別始動スイッチＳ１により本発明にかかる始動口の球検知手段が構成されている。また、主制御基板６０および図柄制御基板６３により本発明にかかる始動記憶制御手段が構成されており、上記した特別図柄処理を実行する。また、主制御基板６０および演出制御基板６２により本発明にかかる演出表示手段が構成されており、上記した異形演出処理と有効期間処理とを実行する。そして、異形演出処理により本発明にかかる異形演出停止処理が実現され、有効期間処理により本発明にかかる利得表示処理が実現される。さらに、本発明にかかる操作演出条件として、「大当りカウンタ値の当り判定に伴って異形演出フラグ＝１として特別演出図柄Ａ，Ｂ，Ｃの停止表示タイミングとなること」、又は「ハズレ判定の場合にリーチカウンタ値によりリーチ発生を決定し且つ操作停止カウンタ値により異形特別演出図柄Ｘの停止表示を決定することによって、異形演出フラグ＝１として、特別演出図柄Ａ，Ｂ，Ｃの停止表示タイミングとなること」が定められている。また、特典利得図柄５１、小利得図柄５２により、本発明にかかる利得画像が実現されており、さらに、二の特別演出表示域ａ，ｃまたは全ての特別演出表示域ａ，ｂ，ｃで異形特別演出図柄Ｘ，Ｙ，Ｚを停止表示する場合にあって、該異形特別演出図柄Ｙまたは異形特別演出図柄Ｚが、本発明にかかる利得画像として設定されている。ここで、特典利得図柄５１および小利得図柄５２を構成するＱＲコードが、本発明にかかる光学コードである。
【００７７】
上述した実施例にあっては、特典利得図柄５１と小利得図柄５２とを同じＱＲコードとし、両者により遊技者が受ける利得に差を設けたものであるが、これに限らず、様々に特典利得図柄と小利得図柄とを設定できる。例えば、特典利得図柄５１は実施例と同様のＱＲコードとし、小利得図柄５２は画像表示器１４で所定のキャラクタ図柄やその動画を表示するようにしても良い。さらには、一の操作有効期間で操作ボタン７２の押圧操作がある毎に、所定の利得画像を表示するようにしても良い。また、本実施例では、遊技者が受ける利得に差がある特典利得図柄と小利得図柄とを区別したものであるが、これらを区別せずに所定の利得図柄を表示するようにしても良い。
【００７８】
また、上述の実施例では、異形特別演出図柄として、漢数字の数字を用いた構成であるが、これに限らず、様々な表示形式を適用できる。例えば、異形特別演出図柄を、特別演出図柄と異なる色のアラビア数字としたり、数字の図柄と所定のキャラクタ図柄とを組み合わせた図柄としたりすることができる。
【００７９】
また、上述の実施例の構成にあって、操作ボタン装置７１に代えて、例えば遊技者の手の動きを検知する操作検知装置を備えることもできる。この操作検知装置には、センサやカメラ等によって遊技者の手の動きを検知するものが好適に用いられ、遊技者が手を振ったりする等の検知操作を検知し、該検知操作によって、操作信号を入力する。
【００８０】
本発明にあっては、上述した実施例に限定されるものではなく、その他の構成についても、本発明の趣旨の範囲内で適宜変更可能である。
【符号の説明】
【００８１】
１  パチンコ遊技機
３  遊技機本体
１４  画像表示器
１５  特別図柄表示装置（図柄表示装置）
２０  始動口
７１  操作ボタン装置
７２  操作ボタン
Ａ，Ｂ，Ｃ  特別演出図柄
Ｈ  報知図柄列
Ｘ，Ｙ，Ｚ  異形特別演出図柄
ａ，ｂ，ｃ  特別演出表示域
【図１】
2015167581.tif 000003
【図２】
2015167581.tif 000004
【図３】
2015167581.tif 000005
【図４】
2015167581.tif 000006
【図５】
2015167581.tif 000007
【図６】
2015167581.tif 000008
【図７】
2015167581.tif 000009
【図８】
2015167581.tif 000010
【図９】
2015167581.tif 000011
【図１０】
2015167581.tif 000012
【図１１】
2015167581.tif 000013